【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
複数の行及び複数の列に渡って配され、各々が画素信号を出力する複数の画素を含む画素アレイであって、前記複数の画素の各々は、光学フィルタと、前記光学フィルタを透過した光を光電変換する光電変換部とを有し、前記複数の行のそれぞれと前記複数の列のそれぞれとに、前記光学フィルタの色が互いに異なる画素が配された画素アレイと、
保持回路と、
出力信号線と、を有する光電変換装置であって、
前記保持回路は、複数の第１の保持部を各々が含む複数のグループを有し、前記複数のグループの各々は、前記複数の列のうちの対応する１列に設けられており、１つのグループに属する前記複数の第１の保持部は、前記光学フィルタの色が互いに異なる複数の画素から読み出された前記画素信号を並行して保持するように構成されており、
前記光電変換装置は、前記複数のグループの各々から、同色の前記光学フィルタを有する画素の前記画素信号を前記出力信号線に連続して読み出す読み出し回路を更に有する
ことを特徴とする光電変換装置。
【請求項２】
前記保持回路は、複数の第２の保持部を各々が含む複数の第２のグループを更に有し、前記複数の第２のグループの各々は、前記複数の列のうちの対応する１列に設けられており、
前記読み出し回路は、前記複数のグループの前記複数の第１の保持部に保持された前記複数の画素の前記画素信号のうち、同色の前記光学フィルタを有する画素の前記画素信号を、前記複数の第２のグループのうちの対応する前記第２のグループに並列に転送し、前記複数の第２のグループの各々に保持された前記画素信号を前記出力信号線に連続的に読み出すように構成されている
ことを特徴とする請求項１記載の光電変換装置。
【請求項３】
前記保持回路は、複数のバッファ回路を更に有し、
前記複数のバッファ回路の各々は、前記複数のグループのうちの１つの前記グループの出力と前記複数の第２のグループのうちの１つの前記第２のグループの入力との間に設けられている
ことを特徴とする請求項２記載の光電変換装置。
【請求項４】
前記複数の第１の保持部のそれぞれは、第１の容量値の第１の容量素子を含み、
前記複数の第２の保持部のそれぞれは、前記第１の容量値よりも大きい第２の容量値の第２の容量素子を含む
ことを特徴とする請求項２又は３記載の光電変換装置。
【請求項５】
複数の前記出力信号線を有し、
前記読み出し回路は、複数の前記出力信号線に同色の前記光学フィルタを有する画素の前記画素信号を並列に読み出すように構成されている
ことを特徴とする請求項１乃至４のいずれか１項に記載の光電変換装置。
【請求項６】
前記出力信号線の電位をリセットするリセット回路と、前記出力信号線に接続された増幅回路と、前記増幅回路から出力される前記画素信号を保持する第３の保持部とを有し、
前記読み出し回路は、前記複数の画素の前記画素信号を前記出力信号線に連続的に転送する際に、前記画素信号を前記出力信号線に読み出す読み出し期間と、前記出力信号線の電位をリセットするリセット期間とを繰り返し実施し、
前記第３の保持部は、前記読み出し期間の間に前記増幅回路から出力される前記画素信号を選択的に保持する
ことを特徴とする請求項１乃至５のいずれか１項に記載の光電変換装置。
【請求項７】
前記読み出し回路は、前記複数の画素の前記画素信号を、前記複数のグループに同時に転送するように構成されている
ことを特徴とする請求項１乃至６のいずれか１項に記載の光電変換装置。
【請求項８】
１列の画素の前記光学フィルタは、互いに異なる色を１つずつ含み、１行の画素の前記光学フィルタの色が規則的に繰り返し配列されている
ことを特徴とする請求項１乃至７のいずれか１項に記載の光電変換装置。
【請求項９】
前記読み出し回路は、前記複数の画素の前記画素信号を保持する前記複数の第１の保持部が画素の前記光学フィルタの色に応じて規則的に配列されるように、前記画素アレイから前記複数の第１の保持部に前記複数の画素の前記画素信号を転送するように構成されている
ことを特徴とする請求項１乃至８のいずれか１項に記載の光電変換装置。
【請求項１０】
前記読み出し回路は、１列に配された複数の行の複数の画素の前記画素信号を、前記画素アレイから前記複数のグループのうちの対応する１つのグループに並列に転送する
ことを特徴とする請求項１乃至９のいずれか１項に記載の光電変換装置。
【請求項１１】
複数の行及び複数の列に渡って配され、各々が画素信号を出力する複数の画素を含む画素アレイであって、前記複数の画素の各々は、光学フィルタと、前記光学フィルタを透過した光を光電変換する光電変換部とを有し、前記複数の行のそれぞれと前記複数の列のそれぞれとに、前記光学フィルタの色が互いに異なる画素が配された画素アレイと、複数の第１の保持部を各々が含む複数のグループと、を有し、前記複数のグループの各々が前記複数の列のうちの対応する１列に設けられた光電変換装置の駆動方法であって、
前記画素アレイの対応する１列の、前記光学フィルタの色が互いに異なる複数の画素から読み出された前記画素信号を、前記複数のグループの各々が並行して保持するステップと、
前記複数のグループの各々から、同色の前記光学フィルタを有する画素の前記画素信号を連続して読み出すステップと
を有することを特徴とする光電変換装置の駆動方法。
【請求項１２】
対象物の画像を読み取る画像読み取り装置であって、
前記対象物に光を照射する発光部と、
前記対象物により反射された光を受光して電気信号に変換する請求項１乃至１０のいずれか１項に記載の光電変換装置と
を有することを特徴とする画像読み取り装置。
【請求項１３】
請求項１２記載の画像読み取り装置と、
前記画像読み取り装置により取得した信号に基づき画像を形成する画像形成部と
を有することを特徴とする画像形成装置。
【手続補正２】
【補正対象書類名】明細書
【補正対象項目名】０００７
【補正方法】変更
【補正の内容】
【０００７】
本発明の一観点によれば、複数の行及び複数の列に渡って配され、各々が画素信号を出力する複数の画素を含む画素アレイであって、前記複数の画素の各々は、光学フィルタと、前記光学フィルタを透過した光を光電変換する光電変換部とを有し、前記複数の行のそれぞれと前記複数の列のそれぞれとに、前記光学フィルタの色が互いに異なる画素が配された画素アレイと、保持回路と、出力信号線と、を有する光電変換装置であって、前記保持回路は、複数の第１の保持部を各々が含む複数のグループを有し、前記複数のグループの各々は、前記複数の列のうちの対応する１列に設けられており、１つのグループに属する前記複数の第１の保持部は、前記光学フィルタの色が互いに異なる複数の画素から読み出された前記画素信号を並行して保持するように構成されており、前記光電変換装置は、前記複数のグループの各々から、同色の前記光学フィルタを有する画素の前記画素信号を前記出力信号線に連続して読み出す読み出し回路を更に有する光電変換装置が提供される。
【手続補正３】
【補正対象書類名】明細書
【補正対象項目名】０００８
【補正方法】変更
【補正の内容】
【０００８】
また、本発明の他の一観点によれば、複数の行及び複数の列に渡って配され、各々が画素信号を出力する複数の画素を含む画素アレイであって、前記複数の画素の各々は、光学フィルタと、前記光学フィルタを透過した光を光電変換する光電変換部とを有し、前記複数の行のそれぞれと前記複数の列のそれぞれとに、前記光学フィルタの色が互いに異なる画素が配された画素アレイと、複数の第１の保持部を各々が含む複数のグループと、を有し、前記複数のグループの各々が前記複数の列のうちの対応する１列に設けられた光電変換装置の駆動方法であって、前記画素アレイの対応する１列の、前記光学フィルタの色が互いに異なる複数の画素から読み出された前記画素信号を、前記複数のグループの各々が並行して保持するステップと、前記複数のグループの各々から、同色の前記光学フィルタを有する画素の前記画素信号を連続して読み出すステップとを有する光電変換装置の駆動方法。